(57)【要約】 【課題】  軒先における落雪防止と融雪促進を実現させることのみならず、冬期以外の不使用時においては家屋の美観を害さない手段を提供することを目的とする。 【解決手段】  雪止め部材１を左右両側部に設けた側枠板２，２の前側部に通孔３，３を設け、この通孔にそれぞれ係合する掛止部４，４を設けた取付材５，５を用意し、前記左右側枠板上に適当間隔をおいて前開き形の掛止片６，６・・を設け、前記両側枠板の後端部間には後枠板７を架設するとともに中央部間には中枠板８を架設し、前記雪止め部材は全体が側面視三角形状に成り、頂上部の所定長さの頂端管材９とこの頂端管材をはさんだ前側端部には所定長さの前端管材１０を，後側端部には所定長さの後端管材１１を設けて成り、前記後端管材の左右各端部から突設した支板１８，１８の左右両側部間に支持板１７を架設し、前記支板は前記両側枠板上の掛止片に着脱し得るようにして成る。【選択図】    図１
2015209716.tif 000002
【特許請求の範囲】
【請求項１】
雪止め部材を左右両側部に設けた側枠板の前側部に通孔を設け、この通孔にそれぞれ係合する掛止部を設けた取付材を用意し、前記左右側枠板上に適当間隔をおいて前開き形の掛止片を設け、前記両側枠板の後端部間には後枠板を架設するとともに中央部間には中枠板を架設し、前記雪止め部材は全体が側面視三角形状に成り、頂上部の所定長さの頂端管材とこの頂端管材をはさんだ前側端部には所定長さの前端管材を，後側端部には所定長さの後端管材を設けて成り、前記頂端管材と後端管材との間に網板を被套し、前記後端管材の左右各端部から突設した支板の左右両側部間に支持板を架設し、前記支板は前記両側枠板上の掛止片に着脱し得るようにして成ることを特徴とする屋根における雪止め装置。
【発明の詳細な説明】
【技術分野】
【０００１】
本発明は、屋根における雪止め装置に関するものである。
【背景技術】
【０００２】
従来、屋根の軒先箇所に設置する雪止め装置としては、次に示すような側面視三角形状体の上全面部に網体を被套したものが主力であった。
【先行技術文献】
【特許文献】
【０００３】
【特許文献１】特開２００６−２０７２３４号公報（特許第４６７６７７３号）
【特許文献２】特開２００８−２９１５３２号公報
【特許文献３】特開２０１０−１６０６号公報
【特許文献４】特開２０１３−９６０５６号公報
【０００４】
しかしながら、これらの発明は、融雪装置の構造が複雑であり、屋根面における積雪の滑落防止の効果はあっても、融雪促進の効果は弱体であったことから、コスト高で実用性の乏しいものであったし、これらの装置は一年中常時設置されていたことから、屋根ないし家屋に与える外観が問題となっていた。
【発明の概要】
【発明が解決しようとする課題】
【０００５】
そこで、本発明は、軒先における落雪防止と融雪促進を実現させることのみならず、冬期以外の不使用時においては家屋の美観を害さない手段を提供することを目的とするものである。
【課題を解決するための手段】
【０００６】
本発明は、雪止め部材を左右両側部に設けた側枠板の前側部に通孔を設け、この通孔にそれぞれ係合する掛止部を設けた取付材を用意し、前記左右側枠板上に適当間隔をおいて前開き形の掛止片を設け、前記両側枠板の後端部間には後枠板を架設するとともに中央部間には中枠板を架設し、前記雪止め部材は全体が側面視三角形状に成り、頂上部の所定長さの頂端管材とこの頂端管材をはさんだ前側端部には所定長さの前端管材を，後側端部には所定長さの後端管材を設けて成り、前記頂端管材と後端管材との間に網板を被套し、前記後端管材の左右各端部から突設した支板の左右両側部間に支持板を架設し、前記支板は前記両側枠板上の掛止片に着脱し得るようにして成るものである。
【発明の効果】
【０００７】
第１に、屋根の軒先箇所に取付ける雪止め部材の設置高さを冬期間中の積雪状態を考慮して自由に変化させることができるから、家屋の美観を害する課題を解決することができる。
【０００８】
第２に、冬期間以外の不使用時期においては、雪止め部材の全体を屋根面に平行に倒伏して保存しておくことができるから、これによっても屋根ないし家屋の美観を保持することができることになる。
【図面の簡単な説明】
【０００９】
【図１】装置全体の施工状態を示す斜視図
【図２】全体の側面図
【図３】使用状態を示す全体の側面図
【図４】全体の折畳み倒伏状態を示す側面図
【図５】要部の側面図
【図６】図５の平面図
【図７】他の要部の側面図
【図８】図７の平面図
【発明を実施するための形態】
【００１０】
本雪止め装置が必要になる冬期間にあっては、屋根の軒先部においては図１に示すような状態に網板を被套した雪止め部材の後側部分を，前端管材部を支点に左右の前側支持杆及び前側中央枠杆を適当角度に立ち上げるが、その角度を固定するためには、後側間材の左右各端部に突設した支板間に架設した支持板の左右両側端部を、臨接する左右両側枠板の掛止片の一つを選んで掛け止めればよい。その状態を示したのが図３であり、角度の変化と雪止め部材の高さの加減は、実線から想像線にかかる状態を見ることによって理解できる。
【００１１】
また、冬期以外の季節にあっては、雪止め部材の設置は不要であるけれども、これを屋根面から離脱することはなく、図４に示すように部材を全体的に後方部へ倒伏して屋根面に平行状態にしておけばよい。
【実施例】
【００１２】
本発明にあっては、主として屋根の軒先箇所において設置する雪止め部材１であるところ、全体の雪止め部材は左右両側部に設けた側枠板２，２の前側部に複数の通孔３，３を設け、この通孔にそれぞれ係合する掛止部４，４を設けた取付材５，５を用意し、この取付材は軒先箇所に掛け止めて固定する。
【００１３】
６，６・・は前記左右の側枠板２，２上に適当間隔をおいて前開き形に設けた掛止片で、この掛止片自体は弾発性を有するものとする。
【００１４】
７は前記左右両側枠板２，２の後端部間に架設する後枠板で、この後枠板が架設する両側枠板の中央部付近間には中枠板８を架設する。
【００１５】
前記雪止め部材１は、全体が側面視三角形状に成り、頂上部の所定長さの頂端管材９と、この頂端管材をはさんだ前側端部には所定長さの前端管材１０を、後側端部には所定長さの後端管材１１を設けて成るものであり、頂端管材９と前端管材１０との間には、その左右両端部に前側支持杆１２，１２を架設し、頂端管材９と後端管材１１との間にはその左右両端部に後側支持杆１３を架設する。また、頂端管材９と前端管材１０との中央部には前側中央枠杆１４を，頂端管材９と後端管材１１との中央部には後側中央枠杆１５を，それぞれ架設する。
【００１６】
１６は前記構成に成る雪止め部材１の頂端管材９と後端管材１１との間に被套する亀甲形状に成る網板で、この網板は頂端管材９と前端管材１０との間には被套せず開放状態にしているが、もし必要があれば、頂端管財と前端管材との間にも網板を被套してよい。
【００１７】
１７は前記雪止め部材１の後端管材１１の左右各端部から後方に突設した支板１８，１８間に架設した支持板で、この支持板の左右両側端部は前記左右両側枠板２，２上に設けた任意の掛止片６，６間に懸架して掛け止まるようになる。
【符号の説明】
【００１８】
１                            雪止め部材
２，２                        側枠板
３，３                        通孔
４，４                        掛止部
５，５                        取付材
６，６・・                    掛止片
７                            後枠板
８                            中枠板
９                            頂端管材
１０                          前端管材
１１                          後端管材
１２，１２                    前側支持杆
１３                          後側支持杆
１４                          前側中央枠杆
１５                          後側中央枠杆
１６                          網板
１７                          支持板
１８，１８                    支板
【図１】
2015209716.tif 000003
【図２】
2015209716.tif 000004
【図３】
2015209716.tif 000005
【図４】
2015209716.tif 000006
【図５】
2015209716.tif 000007
【図６】
2015209716.tif 000008
【図７】
2015209716.tif 000009
【図８】
2015209716.tif 000010